(57)【要約】【課題】電池格納部の大きさをコンパクトにして、持ち易くするとともに、携行時に角型電池と電池端子との接触不良が生じない電子機器を提供する。【解決手段】角型電池が格納される電池格納部１０を有し、該電池格納部に格納された角型電池から電力の供給を受けて動作する本体３０と、該電池格納部を覆う蓋とを備えた電子機器１において、本体３０は、電池格納部１０に隣接した位置に、蓋２０を、解除操作による掛止の解除が自在に掛止する掛止部３２を有するとともに、蓋２０は、内面に、電池格納部に格納された角型電池を押圧する弾性部材２４を有し、掛止部３２の解除操作に応じて、該掛止部３２による蓋２０の掛止が解除され、該蓋２０は、角型電池３を押圧する弾性部材２４の押圧力で撥ね上がる。【選択図】図１
2004127837.tif 000002
【特許請求の範囲】
【請求項１】
角型電池が格納される電池格納部を有し、該電池格納部に格納された角型電池から電力の供給を受けて動作する本体と、該電池格納部を覆う蓋とを備えた電子機器において、
前記本体は、前記電池格納部に隣接した位置に、前記蓋を、解除操作による掛止の解除が自在に掛止する掛止部を有するとともに、
前記蓋は、内面に、前記電池格納部に格納された角型電池を押圧する弾性部材を有し、
前記掛止部の解除操作に応じて、該掛止部による前記蓋の掛止が解除され、該蓋は、前記角型電池を押圧する前記弾性部材の押圧力で撥ね上がるものであることを特徴とする電子機器。
【請求項２】
前記蓋は、前記掛止部により掛止される側とは反対側に、前記本体に遊嵌される被遊嵌部を有するとともに、前記本体は、前記被遊嵌部を遊嵌する遊嵌部を有し、前記蓋は、前記掛止部の解除操作に応じて、前記遊嵌部を中心に回動しながら撥ね上がるものであることを特徴とする請求項１記載の電子機器。
【請求項３】
前記蓋は、前記掛止部に掛止される掛止爪を有するものであることを特徴とする請求項１記載の電子機器。
【請求項４】
前記掛止部は、前記解除操作の中止により、前記蓋を、再び掛止するものであることを特徴とする請求項１記載の電子機器。
【請求項５】
前記電池格納部は、厚みが異なる２種類の角型電池が格納されるものであって、
前記電池格納部に厚みが薄い角型電池を保持する保持位置と該電池格納部に厚みが厚い角型電池の収納を許容する退避位置との間で移動自在な保持部材を備え、
前記蓋が、前記保持部材を、該保持部材が前記保持位置にあるときと前記退避位置にあるときとの何れにおいても係止する係止部を備えたことを特徴とする請求項１記載の電子機器。
【請求項６】
前記保持部材は、前記保持位置と前記退避位置との間で回動自在に軸支され、該保持部材が該保持位置にあるときに前記電池格納部に格納された厚みが薄い角型電池の側縁に係止する係合爪と、該保持位置にあるときと該退避位置にあるときとの双方で前記係止部に回動不能に係止する突起部とを備えたものであることを特徴とする請求項５記載の電子機器。
【発明の詳細な説明】
【０００１】
【発明の属する技術分野】
本発明は、携帯電話、デジタルカメラ、ビデオカメラ、モバイルプリンタなどの角型電池を使用する電子機器に関する。
【０００２】
【従来の技術】
従来、携帯電話、スチルカメラ、デジタルカメラ、ビデオカメラなどの電子機器においては、充電により繰り返し使用が可能な、角型の２次電池が用いられている。この角型の２次電池を電子機器の収納部に収納する方法としては、例えば電極を有する角型電池の側面を収納部の開口に向けて挿入し、カバーでロックする側面挿入式のものや、角型電池の正面から収納部のフレームに収納し、そのフレームをカバーで覆う正面収納式のものがある。また、角型電池を機器内に収納すると機器筐体が大型化するため、電池端子を機器筐体の外面側に配置したものがあり、さらに、電池収納ケースを別にして、角型電池使用時に電池収納ケースを機器筐体に合体させるものもある。
【０００３】
しかしながら、電池収納ケースを機器筐体に合体させるように構成すると角型電池使用時に機器全体が大型化し、持ち運びに不便であり、電池端子を機器筐体の外面側に配置すると、角型電池の不使用時に電池端子が露出して見映えが損なわれる。そこで、電池端子を機器の筐体内外に移動可能に配設し、角型電池使用時には筐体外に移動させて角型電池を接続し、角型電池不使用時には筐体内に格納することにより、容量の異なる角型電池の使用を可能とするとともに、外観上の見映えの向上、筐体の小型化を図ったものがある（特許文献１参照）。
【０００４】
【特許文献１】特開平１１−３６９１号公報（段落番号０００４−００１０）
【０００５】
【発明が解決しようとする課題】
しかしながら、カメラのように持ち運んで使用されるものは、電池を外付けすると、外形全体が大きくなり、手で持つ場合の持ち易さや、持ち運び易さが損なわれるという問題がある。
【０００６】
一方、角型の電池は、厚さが異なる同寸の、２種類の角型電池が市販されており、正面収納式の収納部は、構造上２種類の角型電池の何れにも対応できるという利点がある。
【０００７】
しかしながら、収納される角型電池の厚さに応じて、それに対応したカバーを備え、両方のカバーを持ち歩くのは不便である。
【０００８】
また、カバーを１種類にするために、角型電池の厚さに応じてダミー部品を備え、そのダミー部品を角型電池とカバーとの間に挟む方法や、手操作で動作するロック機構を備え、角型電池の厚さに応じてそのロック機構を切り替え操作する方法も考えられるが、何れの場合もユーザがその都度操作する必要がある。
【０００９】
本発明は、上記事情に鑑み、電池格納部の大きさをコンパクトにして、持ち易くするとともに、携行時に角型電池と電池端子との接触不良が生じない電子機器を提供することを目的とする。
【００１０】
【課題を解決するための手段】
上記目的を達成する本発明の電子機器は、角型電池が格納される電池格納部を有し、該電池格納部に格納された角型電池から電力の供給を受けて動作する本体と、該電池格納部を覆う蓋とを備えた電子機器において、
上記本体は、上記電池格納部に隣接した位置に、上記蓋を、解除操作による掛止の解除が自在に掛止する掛止部を有するとともに、
上記蓋は、内面に、上記電池格納部に格納された角型電池を押圧する弾性部材を有し、
上記掛止部の解除操作に応じて、該掛止部による上記蓋の掛止が解除され、該蓋は、上記角型電池を押圧する上記弾性部材の押圧力で撥ね上がるものであることを特徴とする。
【００１１】
このように、蓋を本体の掛止部に掛止すると、蓋の内面の弾性部材により、角型電池の移動による接触不良を防止する一方、掛止部の解除操作により蓋の掛止が解除されると、弾性部材の押圧力で蓋が撥ね上がり、弾性部材は、蓋を開けるばねの役割も兼ねるので、電池格納部をコンパクトにして持ち易くすることができるとともに、コストを抑えることができる。
【００１２】
ここで、上記蓋は、上記掛止部により掛止される側とは反対側に、上記本体に遊嵌される被遊嵌部を有するとともに、上記本体は、上記被遊嵌部を遊嵌する遊嵌部を有し、上記蓋は、上記掛止部の解除操作に応じて、上記遊嵌部を中心に回動しながら撥ね上がるものであることが好ましい。
【００１３】
このように、蓋が掛止される側の反対側に、蓋が遊嵌される被遊嵌部を設けてあれば、掛止部を解除すると、その被遊嵌部が遊嵌される、本体の遊嵌部を支点として、弾性部材の押圧力で蓋を回動させて撥ね上げることができる。
【００１４】
また、上記蓋は、上記掛止部に掛止される掛止爪を有するものであることが好ましい。
【００１５】
このように掛止爪を設ければ、蓋を本体に確実に掛止することができる。
さらに、上記掛止部は、上記解除操作の中止により、上記蓋を、再び掛止するものであってもよい。
【００１６】
このように、常時、掛止部が蓋を掛止する状態にしておけば、解除操作のときだけ掛止部による掛止を解除することができる。
【００１７】
また、上記電池格納部は、厚みが異なる２種類の角型電池が格納されるものであって、
前記電池格納部に厚みが薄い角型電池を保持する保持位置と該電池格納部に厚みが厚い角型電池の収納を許容する退避位置との間で移動自在な保持部材を備え、
上記蓋が、上記保持部材を、該保持部材が上記保持位置にあるときと上記退避位置にあるときとの何れにおいても係止する係止部を備えたことが好ましい。
【００１８】
このように、電池格納部に厚みが薄い角型電池が格納されたときは、電池格納部の保持部材と蓋の係止部とによりその角型電池を保持し、厚みが厚い角型電池が格納されたときは電池格納部の保持部材が退避位置に移動するとともに蓋で押さえることにすれば、１種類の蓋で２種類の角型電池に対応することが可能であり、かつ携行時に衝撃が加わった場合でも電池端子との接触不良が生じない。
【００１９】
さらに、上記保持部材は、上記保持位置と上記退避位置との間で回動自在に軸支され、該保持部材が該保持位置にあるときに上記電池格納部に格納された厚みが薄い角型電池の側縁に係止する係合爪と、該保持位置にあるときと該退避位置にあるときとの双方で上記係止部に回動不能に係止する突起部とを備えたものであることも好ましい態様である。
【００２０】
このように、保持部材が係合爪と突起部とを有し、回動自在に軸支され、厚みが薄い角型電池が格納されたときには、係合爪がその角型電池を係止した状態で突起部が蓋の係止部に係止して左右の回転を止め、厚みが厚い角型電池が格納されたときには、係合爪がその角型電池を係止しない状態で突起部が蓋の係止部に係止して左右の回転を止めた上で、その角型電池を蓋で押さえることにすれば、１種類の蓋で２種類の角型電池に対応することが可能であり、かつ携行時に衝撃が加わった場合でも電池端子との接触不良が生じない。
【００２１】
【発明の実施の形態】
以下、本発明の電子機器の実施形態について説明する。
【００２２】
図１は、本発明の電子機器が適用されるデジタルカメラの第１の実施形態を示す概略外観図である。
【００２３】
図１に示すように、デジタルカメラ１は、角型電池が格納される電池格納部１０を有し、電池格納部１０に格納された角型電池３から電力の供給を受けて動作する正面にレンズ２を備える本体３０と、電池格納部１０を覆う蓋２０とを備えている。
【００２４】
電池格納部１０は、本体３０のフレーム３３により囲われた、角型電池３が格納される空間からなる電池収納室１２と、電池収納室１２内に設けられ、角型電池３の電極３ａと接触して導通する電池端子６と、フレーム３３に被さり、格納された角型電池３を防護する図示しない蓋２０とを有している。
【００２５】
蓋２０は、フレーム３３に被さる、開口を有するインナーパネル２２と、インナーパネル２２に被さるアウターパネル２１と、インナーパネル２２とアウターパネル２１との間に挟み込まれて固定される板ばね部材２４とからなり、板ばね部材２４は、固定された部分から電池収納室１２側になだらかなカーブを描いて折れ曲がり電池収納室１２に格納された角型電池３に押し当てられて角型電池３を押圧する。また、アウターパネル２１側面には、本体３０壁面に設けられた２つの遊嵌部３１にゆるく嵌め込まれる２つの被遊嵌部２１ａと、一部を切り欠くとともに、その切り欠いた位置に、本体の掛止部３２に掛止される掛止爪２１ｂとが備えられている。そして、蓋２１の被遊嵌部２１ａは、本体の２つの遊嵌部３１にゆるく遊嵌され、その遊嵌部３１が支点となって、蓋２０は、回動自在に、かつ着脱自在に本体に固定される。
【００２６】
本体３０は、解除操作により掛止位置Ａから解除位置Ｂに移動し、蓋２０の掛止爪２１ｂへの掛止を解除し、解除操作を中止すると自動的に掛止位置Ａに戻り、蓋２０の掛止爪２１ｂに掛止する掛止部３２を有するとともに、掛止部３２と反対側の壁面に、蓋２０の被遊嵌部２１ａと嵌合する２つの遊嵌部３１を有している。
【００２７】
ここで、本実施形態においては、蓋２０の被遊嵌部２１ａは突起部、本体の遊嵌部３１は穴で構成されているが、被遊嵌部２１ａは係止部、遊嵌部３１は係止部に着脱自在な状態又は固定された状態で係止される係合部であって、遊嵌部３１を中心にして自在に回動するものであればよい。
【００２８】
デジタルカメラ１を使用するときは、電池収容室１２に角型電池３の電極３ａを電極端子６に向けて格納し、蓋２０の切り欠き位置が掛止部３２に合致するように蓋２０の向きを合わせてフレーム３３に被せ、蓋２０の被遊嵌部２１ａを本体の遊嵌部３１にゆるく遊嵌させて蓋２０を本体３０に固定する。そして本体の掛止部３２を掛止位置Ａに移動することにより、蓋２０の掛止爪２１ｂにその掛止部３２を掛止させて、蓋２０をロックする。
【００２９】
そのとき、蓋２１の内面に固定された板ばね部材２４は、角型電池３を面的に押圧するので、携行時に、角型電池３に弱い衝撃が加わったときにおいても電池端子の接点がずれて接触不良を引き起こすのを防止することができる。
【００３０】
また、角型電池３を取り替えたり、充電などのために角型電池３を電池収容室１２から取り外すときは、解除操作により本体３０の掛止部３２を解除位置Ｂに移動することにより掛止爪２１ｂへの掛止を解除する。
【００３１】
そのとき、蓋２０は、遊嵌部３１を中心にして回動しながら内面に固定された板ばね部材２４の押圧力により撥ね上げられて開く。
【００３２】
そして、例えば新しい角型電池３、又は充電した角型電池３を、撥ね上げられて蓋が開いた状態の電池収容室１２内に格納し、解除操作により本体３０の掛止部３２を、一旦解除位置Ｂに移動したのち、手を離すか、あるいは蓋を強く閉じれば、掛止部３２は、再び掛止爪２１ｂに掛止する。
【００３３】
このように、蓋２０の内面に設けられた板ばね部材２４が、電池収容室１２に格納された角型電池３の移動を抑制して接触不良を防止する役割と、ロックが解除された蓋２０を撥ね上げる役割とを両立させているので、電池格納部１０をコンパクト化したり、コスト削減に寄与することができる。
【００３４】
本実施形態の板ばね部材２４は、インナーパネル２２と、インナーパネル２２に被さるアウターパネル２１とに挟まれて固定されているが、必ずしもこの構成に限定されず、直接アウターパネル２１に固定されたものであってもよい。また、掛止部３２は、常時は、掛止状態にあり、解除操作すると掛止を解除する状態になり、解除操作を中止すると再び掛止状態に戻るように構成されているが、掛止部３２は、必ずしもこの構成に限定される必要はなく、掛止操作に応じて掛止状態になるように構成されたものであってもよい。
【００３５】
次に、第２の実施形態について説明する。
【００３６】
第２の実施形態は、第１の実施形態と較べて、同寸で、厚さが異なる２種類の角型電池を電池収容室に格納されても、電池収容室内にがたが生じ、角型電池の電極と電池端子との接触不良が生じないよう、保持部材を備える点が相違するが、それ以外の点は共通するので、相違点を中心にして説明する。
【００３７】
図２に示すように、デジタルカメラ１は、角型電池３が格納される電池格納部１０と、電池格納部１０に格納された角型電池３から電力の供給を受けて動作する正面にレンズ２を備える本体３０とを備えており、電池格納部１０を覆う蓋２０は、ここでは取り外されている。
【００３８】
電池格納部１０は、角型電池３が格納される四角形のフレーム１１と、そのフレーム１１に囲われた電池収納室１２と、電池収納室１２の端に設けられ、角型電池３の電極３ａと接触して導通する電池端子を有するコネクタ部材５と、蓋の被遊嵌部２１ａとゆるく嵌合し、蓋を開閉自在に、着脱自在に固定する２つの遊嵌部３１とを有している。
【００３９】
また、本体３０の側面の、電池格納部１０に設けられた２つの遊嵌部３１に対向する位置には、掛止位置Ａと解除位置Ｂとの間を移動し、掛止位置Ａに移動すると蓋を掛止し、解除位置Ｂに移動すると蓋の掛止を解除する掛止部３２が設けられている。
【００４０】
図３は、電池格納部のフレームに被さる蓋を示す図である。
【００４１】
図３に示すように、蓋２０は、開口を有するインナーパネル２２と、インナーパネル２２に被さるアウターパネル２１とを有し、インナーパネル２２とアウターパネル２１とが重なり合う四角形の一辺２３には、電池収容室１２に向けて押圧力を有する板ばね部材２４が挟み込まれて固定され、板ばね部材２４は、固定された部分から電池収納室１２側になだらかなカーブを描いて折れ曲がり角型電池を所定の押圧力で押圧し、掛止部３２による蓋の掛止が解除されると、その押圧力で蓋２０を撥ね上げ、蓋２０を開ける。
【００４２】
また、アウターパネル２１には、切り欠きがあり、その切り欠き位置には、本体の掛止部３２に掛止される掛止爪２１ｂが設けられている。
【００４３】
図４は、フレームとコネクタ部材との関係を示す図である。
【００４４】
図４に示すように、フレーム１１は、３方に側壁１１ａが設けられ、電池収納室１２の中央部と１方の端には開口１５，１６が設けられている。１方の端に設けられた開口１６には、コネクタ部材５が嵌合され、コネクタ部材５は、電池収納室１２の隅に設けられた孔１２ａによりねじ１７で固定される。
【００４５】
コネクタ部材５には、電池収納室１２に収納される角型電池の電極と接触する電池端子６を備えている。
【００４６】
図５は、コネクタ部材を示す図であり、図５（ａ）は正面図、図５（ｂ）は、側面図、図５（ｃ）は、背面図を表している。
【００４７】
コネクタ部材５は、電池端子６が３つ備えられ、それぞれの電池端子は、ハーネス６ａに接続され、ハーネス６ａは、コネクタ６ｂに成端されている。このコネクタ６ｂを、本体の電源部の図示しない接続端子と嵌合することにより、角型電池の電力が電源部に供給される。コネクタ部材５の背面には、所定の間隔を開けて平行に突き出し、左右対称な位置にそれぞれ貫通孔を有する突出部材７が形成されている。
一方、側面に貫通孔を有する保持部材２６は、突出部材７の貫通孔と互いの貫通孔に共通の軸８を通すとともに、軸８の両端を突出部材７で固定することにより、コネクタ部材５に回動自在に固定されている。
【００４８】
図６は、コネクタ部材をＣ−Ｃ’面で切断した断面を示す図である。
【００４９】
図６に示すように、コネクタ部材５には、保持部材２６が軸支され、保持部材２６は、係合爪２６ａと突起部２６ｂとを有し、軸８を中心にして図示している保持位置と、それより反時計回りに回転した退避位置との間を移動する。係合爪２６ａは、厚みが薄い角型電池が格納されると保持位置に移動してその角型電池の側縁に係止するが、厚みが厚い角型電池が格納されると、退避位置に移動し、その角型電池の側面に突き当たる。
【００５０】
図７は、電池収納室に厚みが薄い角型電池が収容された状態を示す図である。
【００５１】
図７に示すように、電池収納室１２に厚みが薄い角型電池３が収容され、インナーパネル２２とアウターパネル２１とが重なり合って形成された蓋２０が被せられ、インナーパネル２２の開口から電池収納室１２内に張り出した板ばね部材２４が、電池収納室１２内になだらかなカーブを描いて折れ曲がり、厚みが薄い角型電池３全体を所定の押圧力で押圧している。また、厚みが薄い角型電池３の電極を有する側の側面の側縁３ａに係合爪２６ａが係止し、係合爪２６ａと一体に成形された突起部２６ｂは係合爪２６ａとは直角をなす位置にあるため、インナーパネル２２内面の端に設けられた係止部２５により、矢印Ｙ方向への回転が制限され、係合爪２６ａは、角型電池の側縁３ａにより矢印Ｘ方向への回転が制限されて固定され、角型電池３の上下移動がより強固に防止される。
【００５２】
図８は、電池収納室に厚みが厚い角型電池が収容された状態を示す図である。
【００５３】
図８に示すように、電池収納室１２内に厚みが厚い角型電池３が収容され、インナーパネル２２とアウターパネル２１とが重なりあって形成された蓋２０が被せられ、インナーパネル２２の開口から電池収納室１２内に張り出した板ばね部材２４は、電池収納室１２内に収納された厚みが厚い角型電池３により押圧され、インナーパネル２２とアウターパネル２１との間の隙間に納まる。また、厚みが厚い角型電池３の側の側面３ｂに係合爪２６ａが突き当たり、保持部材２６は退避位置に移動するので、係合爪２６ａと一体に成形された突起部２６ｂは、厚みが薄い角型電池３が収納された場合よりも、矢印Ｙ方向に回転し、インナーパネル２２内面の端に設けられた係止部２５とインナーパネル２２内面の側壁２２ａとにより、矢印Ｘ方向および矢印Ｙ方向の何れの方向の回転も制限される。したがって、厚みが厚い角型電池３は、インナーパネル２２により固定され、上下移動が強固に防止される。
【００５４】
このように、厚みが薄い角型電池は、剛体である保持部材２６と弾性部材である板ばね部材２４とにより強固に固定され、また厚みが厚い角型電池は、その厚みに合わせて形成されたインナーパネル２２により強固に固定されるので、電池格納部１０が衝撃を受けても電池端子がずれることによる接触不良や、上下移動によるがたつきが防止される。
【００５５】
【発明の効果】
以上、説明したように、本発明の電子機器によれば、本体の掛止部に掛止すると蓋が本体にしっかりと掛止され、また蓋の内面の弾性部材により、角型電池の移動による接触不良を防止する一方、掛止部の解除操作により蓋の掛止が解除されると、弾性部材の押圧力で蓋が撥ね上がり、弾性部材は、蓋を開ける役割も兼ねているので、電池格納部をコンパクトにして持ち易くすることができるとともに、コストを抑えることができる。
【図面の簡単な説明】
【図１】本発明の電子機器が適用されるデジタルカメラの第１の実施形態を示す概略外観図である。
【図２】本発明の電子機器が適用されるデジタルカメラの実施形態を示す概略外観図である。
【図３】電池格納部のフレームに被さる蓋を示す図である。
【図４】フレームとコネクタ部材との関係を示す図である。
【図５】コネクタ部材を示す図である。
【図６】コネクタ部材をＣ−Ｃ面で切断した断面を示す図である。
【図７】電池収納室に厚みが薄い角型電池が収容された状態を示す図である。
【図８】電池収納室に厚みが厚い角型電池が収容された状態を示す図である。
【符号の説明】
１　デジタルカメラ
２　レンズ
３　角型電池
３ａ　電極
５　コネクタ部材
６　電池端子
６ａ　ハーネス
６ｂ　コネクタ
７　突出部材
８　軸
１０　電池格納部
１１，３３　フレーム
１１ａ　側壁
１２　電池収納室
１２ａ　孔
１５，１６　開口
１７　ねじ
２０　蓋
２１　アウターパネル
２１ａ　被遊嵌部
２１ｂ　掛止爪
２２　インナーパネル
２３　一辺
２４　板ばね
２５　係止部
２６　保持部材
２６ａ　係合爪
２６ｂ　突起部
３０　本体
３１　遊嵌部
３２　掛止部
【図１】
2004127837.tif 000003
【図２】
2004127837.tif 000004
【図３】
2004127837.tif 000005
【図４】
2004127837.tif 000006
【図５】
2004127837.tif 000007
【図６】
2004127837.tif 000008
【図７】
2004127837.tif 000009
【図８】
2004127837.tif 000010